(57)【要約】【課題】省スペースなダクト構成を提案し、排気機能、加湿機能を両立する空気調和機の提供を可能にすること。【解決手段】室内機８は排気ファン１０を、屋外機は加湿ユニット１１を備え、排気ダクト６と加湿ダクト７は、ともに合流して送風流路を共有する送風流路共有部１３を有し、室内機８には、加湿空気放出口１４を有し、切り替え弁１５を通じ、排気ダクト６に連結し、室外機９には、大気放出口１６を有し、切り替え弁１７を通じ、加湿ダクト７に連結している。【選択図】図１
2008101866.tif 000002
【特許請求の範囲】
【請求項１】
室内機と室外機とそれらを接続する接続配管で構成された空気調和機であって、前記室内機は排気ファンを備え、前記排気ファンは屋外に導通する排気ダクトを備え、前記室外機に加湿ユニットを具備し、前記加湿ユニットは前記室内機に導通する加湿ダクトを具備し、前記排気ダクトの一部と前記加湿ダクトの一部が共有されていて、その分岐点に切り替え弁を設けたことを特徴とする空気調和機。
【請求項２】
排気ダクトと加湿ダクトの共有部は、少なくとも室内機と室外機との接続部であることを特徴とする請求項１に記載の空気調和機。
【請求項３】
排気ダクトと加湿ダクトの共有部は、室内機側は、前記室内機に備えられた排気用吸引と加湿空気放出を兼ねた吸引口に連結され、室外機側は、前記室外機に備えられた正転逆転回転可能な送風ファンを介して２つの送風流路に分岐され、一方の送風流路は室外機に具備された加湿ユニットに連結され、もう一方の送風流路は大気開放口へ連結されていることを特徴とする請求項１または２に記載の空気調和機。
【発明の詳細な説明】
【技術分野】
【０００１】
本発明は排気機能と換気機能とを備えた空気調和機に関するものである。
【背景技術】
【０００２】
近年、セパレート式の空気調和機では、冷房、暖房機能だけでなく、さまざまな機能が追加されたタイプが発売されている。例えば、密閉された室内の空気の換気をするための排気機能を備えたものや、冬場の暖房時に室内の空気が乾燥するのを防ぐための、加湿機能を備えたものである。
【０００３】
当然、排気機能と加湿機能とを同時に備えた空気調和機があれば良いのだが、実際には開発されていないのが実情である。
【０００４】
その大きな理由の一つとして、空気調和機の室内機と室外機とを接続する配管類を通すための、壁に開いている穴の大きさにある。
【０００５】
一般的に、空気調和機の配管を通す壁の穴は約直径６０ｍｍである。マンションや、アパートなどには建築時に予め、空気調和機の配管用の壁の穴が開けられており、また、空気調和機の買い替えのため新しい空気調和機を設置する際に利用する壁の穴も同様の直径である。
【０００６】
一方、空気調和機の配管類は、冷媒（液側）配管、冷媒（気体側）配管、電気信号線、ドレン排水管、に加え、排気機能のための排気ダクト、および加湿機能のための加湿ダクトが必要になる。
【０００７】
空気調和機配管用壁の穴と接続配管類の配置断面図を図４に示す。室内機が取り付けられる壁面に、空気調和機配管用の壁の穴１を設け、この壁の穴１を介して冷媒（液側）配管２、冷媒（気体側）配管３、電気信号線４およびドレン排水管５を室内機から取り出すようにしている。更に排気機能のための排気ダクト６、加湿機能のための加湿ダクト７を接続する必要があるが、図示するように、壁の穴１の内径が６０ｍｍ（φ６０）である場合、冷媒（液側）配管２の外径は約２６ｍｍ（φ２６）、冷媒（気体側）配管３の外径は約２２ｍｍ（φ２２）、電気信号線４の外径は巾約１４ｍｍ、厚さ６ｍｍ、ドレン排水管５の外径は約２０ｍｍ（φ２０）で、排気ダクト６の外径は約２６ｍｍ（φ２６）、加湿ダクト７の外径は約２６ｍｍ（φ２６）程度に設定する必要があるため、壁の穴にこれらの配管が入りきらないことが解る。
【０００８】
この課題を解決する方法としては、配管用壁穴を大きくする工事を行うことであるが、工事費として購入者の費用負担を増やすことになったり、最悪の場合、壁内部の構造上穴を拡大できない物件が発生してしまう可能性が大いにある。
【０００９】
また、別の解決方法として、ドレン排水管と排気ダクトを兼用する方法が考案されている（例えば、特許文献１参照）。
【００１０】
図３は、特許文献１に記載された従来の空気調和機のドレン排水管と排気ダクトの兼用部の概略図を示すものである。図３に示すように、ドレン排水管５と、ドレン排出口２８と、排気ファン１０と、大気放出口１６とから構成されている。室内機の内部で発生するドレン水は、収集されてドレン排水管５の下部先端部に設けられているドレン排出口２８から屋外に排出されるように構成されている。室内機内には室内空気を換気するための排
気ファン１０が設けられている。排気ファンからの排気経路はドレン排水管５と共用されており、室外機側のドレン排水管５の上部先端部に設けられた大気放出口１６から排気するように構成されている。
【特許文献１】特開２００３−３２９２６２号公報
【発明の開示】
【発明が解決しようとする課題】
【００１１】
しかしながら、前記従来の構成では、排気ダクトと加湿ダクトの両方を壁の穴に通すことができないため、空気調和機の追加機能として、両方の機能を同時に選択することができないため、排気機能か加湿機能かのどちらか一方を選択せざるを得ないという課題を有していた。
【００１２】
本発明は、前記従来の課題を解決するもので、配管用壁穴を大きくすることなく排気機能と加湿機能との両方の機能を搭載した空気調和機を提供することを目的とする。
【課題を解決するための手段】
【００１３】
前記従来の課題を解決するために、本発明の空気調和機は、室内機は排気ファンを備え、排気ファンは屋外に導通する排気ダクトを備え、室外機に加湿ユニットを具備し、加湿ユニットは室内機に導通する加湿ダクトを具備し、排気ダクトの一部と加湿ダクトの一部が共有されていて、その分岐点に切り替え弁を設けたものである。
【００１４】
これによって、従来の壁の穴の大きさで、排気ダクトと加湿ダクトの両方を壁の穴に通すことができるため、壁の穴を広げる追加工事などの費用の顧客負担を発生させること無く、空気調和機の追加機能として、排気機能と加湿機能の両方の機能を同時搭載することが可能となり、より顧客満足度の高い空気調和機を提供することが可能となる。
【発明の効果】
【００１５】
本発明の空気調和機は、空気調和機設置用配管壁穴の大きさを従来のまま利用でき、空気調和機の機能として、排気機能と加湿機能の両方を追加搭載することを可能とし、よりきめ細かい空調制御を行うことで、より顧客満足度の高い空気調和機を提供することができる。
【発明を実施するための最良の形態】
【００１６】
第１の発明は室内機と室外機とそれらを接続する接続配管で構成された空気調和機であって、前記室内機は排気ファンを備え、前記排気ファンは屋外に導通する排気ダクトを備え、前記室外機に加湿ユニットを具備し、前記加湿ユニットは前記室内機に導通する加湿ダクトを具備し、前記排気ダクトの一部と前記加湿ダクトの一部が共有されていて、その分岐点に切り替え弁を設けることにより、従来の壁の穴の大きさで、排気ダクトと加湿ダクトの両方を壁の穴に通すことができるため、壁の穴を広げる追加工事などの費用の顧客負担を発生させること無く、空気調和機の追加機能として、排気機能と加湿機能の両方の機能を同時搭載することが可能となり、より顧客満足度の高い空気調和機を提供することが可能となる。
【００１７】
第２の発明は、特に、第１の発明の排気ダクトと加湿ダクトの共有部を、少なくとも室内機と室外機との接続部とすることにより、従来の壁の穴の大きさでかつ従来の配管カバーケースも使用可能となり、作業性が低下せず、施工性の低下なしに空気調和機の追加機能として、排気機能と加湿機能の両方の機能を同時搭載することが可能となる。
【００１８】
第３の発明は、特に、第１または第２の発明の排気ダクトと加湿ダクトの共有部を、室内機側は、前記室内機に備えられた排気用吸引と加湿空気放出を兼ねた吸引口に連結し、
室外機側は、前記室外機に備えられた正転逆転回転可能な送風ファンを介して２つの送風流路に分岐し、一方の送風流路は室外機に具備された加湿ユニットに連結し、もう一方の送風流路は大気開放口へ連結することにより、部品点数を削減し、室内機側における設置スペースも少なくすることができ、安価でかつ排気機能と加湿機能の両方の機能を同時搭載することが可能となる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における空気調和機の構成図を示すものである。
【００２１】
図１において、空気調和機の室内機８を室内側に室外機９を室外側に配置している。
室内機８と室外機９は、冷媒（液側）配管、冷媒（気体側）配管、電気信号線で結合されている。また、室内機８は、ドレン排水管５に連結されている。室内機８は排気ファン１０を備え、屋外に導通する排気ダクト６を備えている。一方、室外機９には加湿ユニット１１が備えられており、加湿送風ファン１２と連結されている。送風ファン１２は、室内機８に導通する加湿ダクト７と連結されている。
そして、排気ダクト６と加湿ダクト７は、ともに合流して送風流路を共有する送風流路共有部１３を有している。
【００２２】
また、室内機８には、加湿空気放出口１４を有し、切り替え弁１５を通じ、排気ダクト６に連結している。
一方、室外機９には、大気放出口１６を有し、切り替え弁１７を通じ、加湿ダクト７に連結している。
【００２３】
以上のように構成された空気調和機について、以下その動作、作用を説明する。
【００２４】
まず、空気調和機が排気運転する場合、室内側の切り替え弁１５は、加湿空気放出口１４に通じる流路を遮断する。室外側の切り替え弁１７は、加湿送風ファン１２に通じる流路を遮断する。そして、室内側の排気ファン１０が室内空気の排気を開始すると、排気空気は排気ダクト６を通過し、さらに排気ダクトと加湿ダクトの送風流路共用部１３を通過し、大気放出口１６を通過して、屋外に放出される。
【００２５】
次に、空気調和機が加湿運転する場合、切り替え弁１５は、排気ファン１０に通じる流路を遮断する。切り替え弁１７は、大気放出口１６に通じる流路を遮断する。そして、加湿ユニット１１が加湿された空気を発生し、加湿ファン１２が運転することによって、加湿空気は、加湿ダクト７を通過し、排気ダクトと加湿ダクトの送風流路共用部１３を通過し、加湿空気放出口１４から室内へ放出される。
【００２６】
こうすることにより、従来の壁の穴の大きさで、排気ダクトと加湿ダクトの両方を壁の穴に通すことができるため、壁の穴を広げる追加工事などの費用の顧客負担を発生させること無く、空気調和機の追加機能として、排気機能と加湿機能の両方の機能を同時搭載することが可能となり、より顧客満足度の高い空気調和機を提供することが可能となる。
【００２７】
（実施の形態２）
図２は、本発明の第２の実施の形態の空気調和機の構成図である。
【００２８】
図２において、図１と同様、空気調和機の室内機８を室内側に室外機９を室外側に配置され、冷媒（液側）配管、冷媒（気体側）配管、電気信号線で結合されている。
【００２９】
室内機８には、排気吸引と加湿放出を兼ねた吸引口１８が備えられ、排気、加湿兼用ダクト１９に連結している。
【００３０】
室外機９には、正転、逆転回転可能な送風ファン２０が備えられ、排気、加湿兼用ダクト１９は送風ファン２０を介して、分岐点２３に連結されていて、分岐点２３は、加湿ユニット１１へ連結される送風流路２４と大気放出口２６に通じる送風流路２５に通じている。さらに分岐点２３は、送風流路２４と２５を切り替える切り替え弁２７を具備している。
【００３１】
以上のように構成された空気調和機について、以下その動作、作用を説明する。
【００３２】
まず、空気調和機が排気運転する場合、室外側の切り替え弁２７は、加湿ユニット１１に通じる送風流路２４を遮断する。そして、室外側の正転、逆転可能な送風ファン２０を大気放出口２６へ送風する方向へ動作させる。そのため、室内の排気空気は排気吸引と加湿放出兼用吸引口１８から吸引され、排気、加湿兼用ダクト１９を通過し、ファン２１に吸引され、さらに大気放出口２６を通過して、屋外に放出される。
【００３３】
次に、空気調和機が加湿運転する場合、切り替え弁２７は、大気放出口２６に通じる流路を遮断する。
【００３４】
そして、加湿ユニット１１が加湿された空気を発生し、室外側の正転、逆転可能な送風ファン２０を室内機８へ送風する方向へ動作させることによって、加湿空気は、排気、加湿兼用ダクト１９を通過し、排気吸引と加湿放出兼用吸引口１８から室内へ放出される。
【００３５】
こうすることにより、本発明実施の形態１の構成要素である排気ファン１０や切り替え弁１５を省略可能となると同時に、従来の壁の穴の大きさで、排気ダクトと加湿ダクトの両方を壁の穴に通すことができるため、壁の穴を広げる追加工事などの費用の顧客負担を発生させること無く、空気調和機の追加機能として、排気機能と加湿機能の両方の機能を同時搭載することが可能となり、より顧客満足度の高い空気調和機を提供することが可能となる。
【産業上の利用可能性】
【００３６】
以上のように、本発明にかかる空気調和機は、配管壁穴の大きさを従来のまま利用でき、排気機能と加湿機能の両方を追加搭載することが可能となるので、マルチエアコン等の用途にも適用できる。
【図面の簡単な説明】
【００３７】
【図１】本発明の実施の形態１における空気調和機の構成図
【図２】本発明の実施の形態２における空気調和機の構成図
【図３】従来の空気調和機のドレン排水管と排気ダクトの兼用部の概略図
【図４】空気調和機配管用壁の穴と接続配管類の配置断面図
【符号の説明】
【００３８】
１  エアコン配管用の壁の穴（内径φ６０）
２  冷媒（液側）配管（外形  約φ２６）
３    冷媒（気体側）配管（外形  約φ２２）
４    電気信号線（外形  巾１４厚さ６）
５  ドレン排水管（外形  約φ２０）
６  排気ダクト（外形  約φ２６）
７  加湿ダクト（外形  約φ２６）
８  室内機
９  室外機
１０  排気ファン
１１  加湿ユニット
１２  加湿送風ファン
１３  排気ダクトと加湿ダクトとの送風流路共用部
１４  加湿空気放出口
１５  切り替え弁
１６  大気放出口
１７  切り替え弁
１８  排気吸引と加湿放出とを兼ねた吸引口
１９  排気、加湿兼用ダクト
２０  正転、逆転可能な送風ファン  
２３  分岐点
２４  送風流路
２５  送風流路
２６  大気放出口
２７  切り替え弁
２８  ドレン排出口
【図１】
2008101866.tif 000003
【図２】
2008101866.tif 000004
【図３】
2008101866.tif 000005
【図４】
2008101866.tif 000006